(57)【要約】【課題】ノイズリデューサを提供する。【解決手段】空間上で第一行目に揃え、気流を後縁の各々に沿って漏斗状になるように通過させるフィンをそれぞれ含む複数の導流構造と、空間上で第二行目に揃え、導流構造のそれぞれの間に交錯され、導流構造から受けた気流を分けるように配置されるフィンをそれぞれ含む複数の分流構造と、を備えるノイズリデューサ。【選択図】図６
2018190951.tif 000002
【特許請求の範囲】
【請求項１】
空間上で第一行目に揃え、気流を後縁の各々に沿って漏斗状になるように排出するフィンをそれぞれ含む複数の導流構造と、
空間上で第二行目に揃え、前記導流構造の間に部分的に交錯され、前記導流構造から受けた気流を分けるように配置されるフィンをそれぞれ含む複数の分流構造と、
を備えるノイズリデューサ。
【請求項２】
前記分流構造の各々は、吸音材料により包まれる支持特徴を含む請求項１に記載のノイズリデューサ。
【請求項３】
前記導流構造の各々は、吸音材料により包まれる支持特徴を含む請求項１に記載のノイズリデューサ。
【請求項４】
前記分流構造の各々の前記フィンは、滑らかな前縁及び鋭い後縁を含む請求項１〜３の何れか一項に記載のノイズリデューサ。
【請求項５】
前記滑らかな前縁は、気流ガイドを含む請求項４に記載のノイズリデューサ。
【請求項６】
前記導流構造は、複数のストレージアレイの間の空間と一致になるように、空間上で揃える請求項１〜５の何れかに記載のノイズリデューサ。
【請求項７】
入口側、出口側、第１側壁及び第２側壁を有し、前記第１側壁及び前記第２側壁が前記入口側から前記出口側まで延伸するシャーシーと、
少なくとも部分的に前記第１側壁から前記第２側壁まで延伸し、複数のハードドライブを受けて且つ複数の間隔を前記ハードドライブの間に提供するように配置される少なくとも一列の複数のベイと、
少なくとも一列の前記ベイと前記出口側との間に設置され、気流を前記ハードドライブの間の前記間隔に沿って漏斗状になるように後縁まで流通させるフィンをそれぞれ含む複数の導流構造と、
前記導流構造の間に交錯され、前記導流構造から受けた気流を分けるように配置されるフィンをそれぞれ含む複数の分流構造と、
を備える計算装置。
【請求項８】
前記導流構造は、それぞれ前記ハードドライブに当接される請求項７に記載の計算装置。
【請求項９】
前記分流構造の各々は、吸音材料により包まれる支持特徴を含む請求項７又は８の何れか一項に記載の計算装置。
【請求項１０】
前記導流構造の各々は、吸音材料により包まれる支持特徴を含む請求項７又は８の何れか一項に記載の計算装置。
【発明の詳細な説明】
【技術分野】
【０００１】
本発明は、サーボ装置（計算装置）における個別の電子素子の発する雑音を低減させるためのノイズリデューサに関する。
【背景技術】
【０００２】
サーボシステムが運転する場合、廃熱が生成する。サーボシステムの運転時に生成する廃熱を除去しないと、サーボシステムの効率を低下させ、且つ逆にサーボシステムを傷害する。放熱してサーボシステムを冷却するために、サーボシステムにファンを取り付けることは、一般的である。
【発明の概要】
【発明が解決しようとする課題】
【０００３】
サーボシステムの日々に増加する運転速度に伴って、サーボシステム作業に生成する余熱も大幅に増加する。サーボシステムの生成する廃熱を除去するために、高速ファンが引き入れられる。しかしながら、高速ファンは、通常のファンより、多くの雑音を発する。これらの原因に鑑みて、計算システムのノイズ低減及び放熱を最適化する最適な設計は、非常に重要である。
【０００４】
放熱効率を向上させる方法として、サーボシステムを通した気流を増加又は加速することがある。しかしながら、気流が強いほど、尾流の外乱及び騒がしさがより大きい。このため、サーボシステムのメーカーは、雑音と放熱効率との挑戦に直面する。
【課題を解決するための手段】
【０００５】
本発明の実施形態は、ハードドライブの気流を減少するためのノイズリデューサに関する。多種の実施形態によれば、このノイズリデューサは、空間上で第一行目に揃え、後縁を有するフィンをそれぞれ含んでよく、それぞれの形状がハードドライブの気流を後縁に漏斗状になるように排出することができる複数の導流構造と、空間上で第二行目に揃え、それぞれが部分的に各導流構造の間に交錯されることができ、更に、それぞれが導流構造から受けた気流を分けるように配置されるフィンを含む複数の分流構造と、を備える。
【０００６】
本発明のある実施形態において、それぞれの分流構造は、吸音材料により包まれる支持特徴を含んでよい。同様に、本発明のある実施形態において、それぞれの導流構造は、吸音材料により包まれる支持特徴を含んでよい。なお、本発明のある実施形態において、それぞれの分流構造のフィンは、滑らかな（円形状の）前縁及び鋭い（鋭角形状の）後縁を含む。本発明のある実施形態において、滑らかな前縁は、支持特徴を含む。本発明のその他の実施形態において、それぞれの導流構造の後縁は、鋭い後縁を含んでよい。本発明のその他の実施形態において、それぞれの導流構造の後縁は、滑らかな後縁を含んでよい。なお、本発明のある実施形態において、複数の導流構造は、複数のストレージアレイの間の空間と一致になるように、空間上で揃える。また更に、本発明のある実施形態において、分流構造の各々は、空間に複数のストレージアレイの間の空間上で揃えてよい。
【０００７】
本発明の実施形態は、ハードドライブの気流を減少するための計算装置に関する。多種の実施形態によれば、この計算装置は、入口側、出口側、第１側壁及び第２側壁を有するシャーシーを含んでよい。ある実施形態において、第１側壁及び第２側壁は、入口側から出口側まで延伸してよい。計算装置は、少なくとも部分的に第１側壁から第２側壁まで延伸する少なくとも一列のベイを含んでよい。本発明のある実施形態において、少なくとも一列のベイは複数のハードドライブを受けるように配置されてよい。本発明のある実施形態において、少なくとも一列のベイは、複数の間隔を複数のハードドライブの間に提供するように配置されてよい。
【０００８】
本発明のある実施形態において、計算装置は、複数の導流構造を含んでよい。本発明のある実施形態において、導流構造は、少なくとも一列のベイと出口側との間に設けられてよい。本発明のある実施形態において、それぞれの導流構造は、後縁を有するフィンを含むように配置されてよい。本発明のある実施形態において、フィンは、気流を漏斗状になるようにハードドライブの間の間隔を後縁まで通させるように配置されてよい。
【０００９】
なお、本発明のある実施形態において、計算装置は、複数の分流構造を含んでよい。本発明のある実施形態において、それぞれの分流構造は、部分的にそれぞれの導流構造の間に交錯されてよい。また更に、それぞれの分流構造は、フィンを含む。それぞれの分流構造のフィンは、導流構造から受けた気流を分けるように配置されてよい。
【図面の簡単な説明】
【００１０】
【図１】一実施形態によるハードドライブの気流を含むサーボ装置を示す斜視図である。
【図２】一実施形態によるハードドライブの気流を含むシステムを示す斜視図である。
【図３】一実施形態によるシステムにおけるノイズリデューサを示す簡単なブロック図である。
【図４】一実施形態による複数のノイズリデューサを含むサーボシステムを示す斜視図である。
【図５】一実施形態によるサーボシステムにおけるノイズリデューサを示す斜視図である。
【図６】一実施形態によるノイズリデューサを示す簡単なブロック図である。
【図７】一実施形態によるサーボ装置におけるノイズリデューサを示す上面図である。
【図８】一実施形態によるサーボ装置におけるノイズリデューサを示す側面図である。
【図９Ａ】一実施形態によるサーボ装置にノイズリデューサを取り付けた及びノイズリデューサを取り付けない読み／書き効率の例示的なグラフである。
【図９Ｂ】一実施形態によるサーボ装置にノイズリデューサを取り付けた及びノイズリデューサを取り付けない音圧レベル（ｓｏｕｎｄ  ｐｒｅｓｓｕｒｅ  ｌｅｖｅｌ；ＳＰＬ）を示す例示的なグラフである。
【図１０】一実施形態による異なるファン速度及びファン雑音を示す例示的なグラフである。
【図１１】一実施形態によるノイズリデューサを取り付けない乱流を示す簡単なブロック図である。
【図１２】一実施形態によるノイズリデューサを取り付けた乱流が阻止された簡単なブロック図である。
【発明を実施するための形態】
【００１１】
本開示は、添付した図面を参照して説明する。全文にわたって、同様の素子符号は、近似又は同一の素子を指す。図面は、比例で図示されず、本発明を解釈するためのものだけである。以下で本発明の多種の態様を解釈するために、本発明の適用を挙げる。理解すべきなのは、数値上の特定の細部、関係及び方法は、読者に本発明をより詳しく理解させるためのものである。しかしながら、当業者であれば、その中の１つ又は複数の特定細部を省略し又はその他の方法を使用しても、本発明を施行できることは、十分に理解することができる。その他の場合、焦点のぼかしを避けるように、公知の構造又は作業を詳細的に説明しない。本発明は、説明順序の動作又はイベントによって制限されず、例えば、ある動作が異なるタイミングに応じて及び／又はそれと同時に行ってよい。なお、本発明による方法を実施するために、説明される全ての動作又はイベントは、不可欠なものではない。
【００１２】
以上の解釈のように、サーボシステムの生成する余分の廃熱を除去するために、サーボシステムを通した気流を増加又は加速することは一般的である。しかしながら、気流が強いほど、尾流の外乱及び騒がしさがより大きい。この増加した外乱及び雑音により、ハードドライブの読み／書き効率が低下することがある。雑音と、放熱効率とハードドライブの読み／書き効率とのバランスを解決するために、本発明の好ましい実施形態では、ハードドライブの気流に用いられるノイズリデューサを提供する。本開示において、ノイズリデューサは、吸音材料を有する氣動装置（ａｅｒｏｄｙｎａｍｉｃ  ｄｅｖｉｃｅ）として、雑音、放熱効率及びハードドライブの読み／書き効能の問題を解決することで、ハードドライブ効能を強化させる。特に、ノイズリデューサは、気流ガイドを提供することで、気流を外乱せずに、ファンモジュールをストレージアレイモジュールの間のサウンドバリアーに提供する。
【００１３】
図１及び図２は、一実施形態によるサーボ装置１０及び例示的な気流５０を示す斜視図である。ある実施形態において、サーボ装置１０は、複数のファンモジュール２５０及びストレージアレイモジュール２００を備える。サーボ装置１０は、前端２０及び後端３０を含んでよい。複数のファンモジュール２５０によって、気流５０がサーボ装置１０に到達し、且つ前端２０から後端３０までストレージアレイモジュール２００を回ることができる。理解すべきなのは、サーボ装置１０は、ここで言及されないその他の部材を含む。以上で言及された部材は、例示するためのものだけであり、本開示を制限するためのものではない。当業者であれば、本開示に基づいて、その他の部材を弾性的に納入することができる。図２に示すシステムには、ハウジング１００及び少なくとも１つのベイ１３０を含む。ハウジング１００は、風入口側７０、風出口側６０、第１側壁１１０及び第２側壁１２０を有する。第１側壁１１０及第２側壁１２０が風入口側７０から風出口側６０まで延伸する。ベイ１３０は、少なくとも部分的に第１側壁１１０から第２側壁１２０まで延伸する。ベイ１３０は、複数のハードドライブを受けて、且つハードドライブの間に複数の間隙を提供するように配置される。
【００１４】
ある実施形態において、ストレージアレイモジュール２００は、サーボ装置１０の中に設けられる。記憶を最大化するために、ストレージアレイモジュール２００は、緊密に積み重ねた複数のストレージアレイ２０１ｎを含んでよい。ストレージアレイ２０１ｎの数を最大化するために、ストレージアレイ２０１ｎの間の空間２０２が非常に小さい。図１において、ストレージアレイモジュール２００は、緊密に積み重ねた１８個のストレージアレイ２０１ｎを含んでよい。ストレージアレイ２０１ｎの各々は、複数のディスクドライブ装置２０３ｎを含む。ディスクドライブ装置２０３ｎは、ハードドライブ、ソリッドステートハードドライブ又は上記の任意の組み合わせを含んでよい。なお、本発明の目的に基づいて、ディスクドライブ装置２０３ｎは、ここで詳細的に説明しないその他のドライバ技術を含んでよい。図１において、ディスクドライブ装置２０３ｎは、９０個のハードドライブを含んでよい。理解すべきなのは、以上で言及されたストレージアレイ２０１ｎ及びディスクドライブ装置２０３ｎの数（例えば、１８及び９０）は、例示するためのものだけであり、本開示を制限するためのものではない。当業者であれば、必要に応じて、任意の数のストレージアレイ２０１ｎを選択することができる。
【００１５】
サーボ装置１０における複数のファンモジュール２５０は、平行に配列される。本開示の一実施形態において、ファンモジュール２５０は、対流によってストレージアレイモジュール２００を冷却するように、ストレージアレイモジュール２００の付近に設けられる。ファンモジュール２５０は、サーボ装置１０における前端２０から後端３０までの対流を強化することに用いられる。複数のファンモジュール２５０は、計算装置に用いられる４つの高電力ファン２５１ｎを含んでよい。このため、高電力ファン２５１ｎにより生成する気流５０がＸ軸に沿って緊密に積み重ねたストレージアレイ２０１ｎを通してサーボ装置１０に出し入れる。複数のファンモジュール２５０の各々のベーンに尾流が生成し、尾流が内部表面及びサーボ装置１０におけるその他の部材に吹き付ける。発生された発破点（ｂｌａｓｔｉｎｇ  ｐｏｉｎｔ）は、周波帯雑音の音源と見なされる。
【００１６】
このため、本実施形態において、放熱効率のために、各ファンモジュール２５０の回転数を増加することで、Ｘ軸に沿って流れる気流５０を強化させる。これにより、複数のストレージアレイ２０１ｎの間の空間を冷却する。このように、ファンモジュール２５０は、ストレージアレイモジュール２００の所要の作業温度を維持することができる。しかしながら、回転数及び流速が大きいほど、雑音周波帯の周波数がより高い。なお、複数のファンモジュール２５０の各々は、作業時に非常に騒々しい。雑音は、ファンそのものからだけでなく、磁極（ｍａｇｎｅｔｉｃ  ｐｏｌｅ）、運転（ｒｅｖｏｌｕｔｉｏｎ）、ファンブレード及び以上の任意の組み合わせからのものである。これにより、雑音が増加する。理解すべきなのは、以上で言及されたファンの数（例えば、４）は、例示するためのものだけであり、本開示を制限するためのものではない。当業者であれば、本開示に基づいて、任意の数のファンを弾性的に選択することができる。
【００１７】
図２を参照されたい。気体が入口側７０から吸い込まれて、且つ出口側６０に排出される。実際的に、サーボ装置１０を通した気流５０は安定ではなく、且つ出口側６０の空間にかなりの数の乱流が存在する。ストレージアレイモジュール２００の密度のため、空間２０２を吹いた気体が出口側６０において衝突して、空間内で気圧及び乱流を増加する。連続の方程式（ｅｑｕａｔｉｏｎ  ｏｆ  ｃｏｎｔｉｎｕｉｔｙ）に応じて、気体が狭い間隙に入る場合、気体速度が増加する。このため、気流５０がストレージアレイモジュール２００を通す時に気流速度が増加する。気流５０がストレージアレイモジュール２００から離れて出口側６０の空間に入る場合、気流５０の速度が低下する。気流５０が乱流に変わる。乱流と複数のファンモジュール２５０の出した雑音により、ハードドライブのデータ読み／書きを実行する効能が低下する。
【００１８】
気流５０が乱流である場合、レイノルズ数（Ｒｅｙｎｏｌｄｓ  ｎｕｍｂｅｒ）が高いため、流速も高い。音響学の分野において、高速気流が狭い間隙を吹き付ける場合、高音雑音が発生し、且つストレージアレイモジュール２００の付近において高音圧レベル（ｓｏｕｎｄ  ｐｒｅｓｓｕｒｅ  ｌｅｖｅｌ；ＳＰＬ）になる。図１０を参照されたい。ファンの速度が高いほど、ストレージアレイモジュール２００の付近に発生した音圧レベルがより高い。高音圧レベル雑音の周波数範囲とハードドライブ磁気ヘッドの自然周波数とが一致になる場合、ハードドライブ磁気ヘッドは、適切に位置決められないため、ハードドライブの読み／書き効能を低下させる。
【００１９】
本発明のある実施形態において、出口側６０の空間における乱流を減少して、ファンモジュール２５０から出した雑音を低減し、且つ空気をストレージアレイモジュール２００に導出するためのノイズリデューサ３００を提供する。図９Ａ及び図９Ｂを参照されたい。加えられたノイズリデューサ３００により、ハードドライブの読み／書き効能が向上し、且つストレージアレイモジュール２００の付近の音圧レベルが低下する。
【００２０】
図３は、サーボ装置１０におけるノイズリデューサ３００を示す簡単なブロック図である。ノイズリデューサ３００は、気流５０を干渉せずに、ストレージアレイモジュール２００のファンモジュール２５０のサウンドバリアーを提供するように、気流をガイドする。前記のように、サーボ装置１０の生成する廃熱を除去するために、高速ファンを引き入れる。しかしながら、高速ファンは通常のファンより大きい雑音を生成する。このため、高速ファンは、高音圧レベルを発生させ、且つハードドライブの読み／書きを実行する効能を低下させる。これらの原因に鑑みて、計算システムに用いられるノイズ低減及び放熱設計を最適化することは、非常に重要である。以下の解釈のように、ファンモジュール２５０の雑音を低減するように、ノイズリデューサ３００は、音声反射、回折及び吸収を提供する。
【００２１】
図４は、複数のノイズリデューサ３００を採用したサーボ装置１０を示す斜視図である。ある実施形態において、サーボ装置１０から排出した気流５０を強化するために、サーボ装置１０は、ファンモジュール２５０を同じ方向にストレージアレイモジュール２００の間に位置させることができる。この場合、ファンモジュール２５０の両側に向かうストレージアレイモジュール２００を保護するために、サーボ装置１０には、ファンモジュール２５０の両側に向かう複数のノイズリデューサ３００を採用することができる。なお、ストレージアレイモジュール２００の効能を最大化して且つサーボ装置１０から排出した気流５０を強化させるために、ノイズリデューサ３００は、サーボ装置１０における複数の位置に位置し又は改めて位置決めされることができる。
【００２２】
図５は、サーボ装置１０におけるノイズリデューサ３００を示す斜視図である。ノイズリデューサ３００は、複数の導流構造３２０及び複数の分流構造３３０を含んでよい。ノイズリデューサ３００は、吸音材料によって製造されることができる。例として、導流構造３２０及び分流構造３３０は、例えば、グラスウール（ｇｌａｓｓ  ｗｏｏｌ）、ウレタンフォーム（ｕｒｅｔｈａｎｅ  ｆｏａｍ）及び類似なもののような吸音材料によって製造されることができる。このような材料は、導流構造３２０及び分流構造３３０の組成材料の全部又は一部に適用されることができる。理解すべきなのは、吸音材料は、雑音を低減するために構築された如何なる高効材料であってもよい。以上で言及した材料は、例示するためのものだけであり、本開示を制限するためのものではない。当業者であれば、本開示に基づいて、任意の材料を弾性的に選択することができる。
【００２３】
ある実施形態において、複数の導流構造３２０の各々は、ストレージアレイ２０１ｎに取り付けられることができる。これにより、気流５０を導流構造３２０とストレージアレイ２０１ｎとの間に所望せずに導出又は発散させることが避けられる。このため、導流構造３２０は、緊密に積み重ねられ且つストレージアレイ２０１ｎに揃える。分流構造３３０の各々は、空間上で揃え、導流構造３２０の各々の間に部分的に交錯されてよい。導流構造３２０と分流構造３３０との交錯による空間の大きさは、空間２０２（図２と図６参照）に等しい又は空間２０２よりも小さい。
【００２４】
図１１及び図１２を参照されたい。図１１に示すように、気流５０がストレージアレイモジュール２００から離れて出口側６０の空間に入る場合、気流５０の速度は低下する。気流５０が乱流５２に変わることで、高音圧レベルが発生し、且つハードドライブのデータ読み／書き効能が低下する。例えば、気流５０がストレージアレイ２０１ｎの間の空間２０２を通す場合、ストレージアレイ２０１ｎの後縁において乱流５２を発生させる。
【００２５】
図１２に示すように、乱流５２が分流構造３３０に接触する場合、乱流５２が削減されるので、外乱が減少する。このため、導流構造３２０と分流構造３３０との交錯による空間を維持又は減少することで、外乱を防止することができる。なお、導流構造３２０と分流構造３３０との交錯による空間を維持又は減少することで、ファンモジュール２５０からの音波がストレージアレイモジュール２００に到達しないようにすることができる。導流構造３２０及び分流構造３３０の置き位置が音波の波長に直接に関わっている。このため、ハードドライブの読み／書き効能を向上させるように、導流構造３２０及び分流構造３３０のサイズを調整することができる。
【００２６】
図６は、ノイズリデューサ３００を示す簡単なブロック図である。導流構造３２０は、吸音材料により包まれる支持特徴３２１を含んでよい。同様に、分流構造３３０は、吸音材料により包まれる支持特徴３３２を含んでよい。導流構造３２０及び分流構造３３０を固定するように、支持特徴３２１及び支持特徴３３２は、サーボ装置１０のベースに固定されることができる。ある実施形態において、支持特徴３２１及び支持特徴３３２は、支持柱であってよい。ある実施形態において、支持特徴３２１及び支持特徴３３２は、板金から、例えば折り曲げ、成形及びプレスのような従来の金属製造技術によって製造されることができる。また、支持特徴３２１及び支持特徴３３２は、アルミニウム合金、鋼合金、プラスチック材料又は以上の任意の組み合わせによって製造されることができる。理解すべきなのは、支持特徴３２１、支持特徴３３２は、温度変化や衝突、高速気流を受けられ、及び防火性の如何なる構成材料によって製造されることができる。以上で言及した材料は、例示するためのものだけであり、本開示を制限するためのものではない。当業者であれば、本開示に基づいて、任意の材料を弾性的に選択することができる。
【００２７】
図７及び図８は、それぞれノイズリデューサ３００を示す上面図及び側面図である。導流構造３２０は、気流５０を分流構造３３０へガイドするための後縁を有するフィンであってよい。後縁については、外乱を減少する鈍縁がある。これは、鈍縁は後縁の上方表面の正リフト（ｐｏｓｉｔｉｖｅ  ｌｉｆｔ）を提供するが、鋭縁は負リフト（ｎｅｇａｔｉｖｅ  ｌｉｆｔ）を有するからである。このため、気流５０を最大にするために、後縁は鋭縁であってよい。これに対して、外乱及び雑音を減少するために、後縁は円縁であってよい。ある実施形態において、導流構造３２０は、円い（鈍い）後縁と鋭縁との組み合わせを有することができる。導流構造３２０の後縁は、気流５０を分流構造３３０の気流ガイド３３１へガイドすることができる。
【００２８】
分流構造３３０は、前縁及び後縁を有するフィンの形状であってよい。分流構造３３０の前縁は、気流ガイド３３１を含む。前記のように、分流構造３３０は、吸音材料及び中心に位置する気流ガイド３３１を含む。気流ガイド３３１は、分流構造３３０を位置決め及び維持することに用いられる。吸音材料は、一般的に、脆性材料であり、力を持続的に受ける（例えば、高速風）と、時間に伴って変形することがある。このため、分流構造３３０の前縁を保護するために、気流ガイド３３１を提供する。ある実施形態において、気流ガイド３３１は、分流構造３３０の前縁しかを覆わないサイズである。
【００２９】
抵抗力（ｄｒａｇ）を減少し最大気流５０を強化するために、前縁及び後縁は、鋭縁であってよい。これに対して、外乱及び雑音を減少するために、後縁は、円縁であってよい。ある実施形態において、分流構造３３０は、円い（鈍い）後縁と鋭縁との組み合わせを有することができる。分流構造３３０の後縁は、気流５１がＸ軸に沿ってファンモジュール２５０を後端３０まで通してサーボ装置１０から離れるようにガイドすることができる。また、分流構造のそれぞれのフィンは、滑らかな前縁及び鋭い後縁を含む。
【００３０】
気流ガイド３３１は、板金から例えば折り曲げ、成形及びプレスのような従来の金属製造技術によって製造されることができる。このため、気流ガイド３３１のコストが高くない。また、気流ガイド３３１は、アルミニウム合金、鋼合金、プラスチック材料又は以上の任意の組み合わせによって製造されることができる。理解すべきなのは、気流ガイド３３１は、温度変化、衝突、高速気流を受けられ、及び防火性の如何なる構成材料によって製造されることができる。以上のような材料は、例示するためのものだけであり、本開示を制限するためのものではない。当業者であれば、本開示に基づいて、任意の材料を弾性的に選択することができる。気流ガイド３３１を使用して分流構造３３０に気流５０を分けて、且つ分けられた気流５０が分流構造３３０の側辺に沿って進むようにガイドし、吸音体が分流構造３３０の側辺に露出する。気流ガイド３３１は、分流構造３３０の前縁を保護することに用いられる。
【００３１】
図６を参照されたい。一旦、気流５０が導流構造３２０の間を通して分流構造３３０に到達すると、気流５０が分けられ、且つ隔壁空間２０２からの気流５０ｎと改めて組み合わせて気流５１になる。気流５１がノイズリデューサ３００から出口側６０までの空間に存在し、ファンモジュール２５０まで後端３０へ排出する。
【００３２】
ノイズリデューサ３００は、気流ガイドを提供するため、気流５０を干渉せずに、ストレージアレイモジュール２００のファンモジュール２５０にサウンドバリアーを提供する。音波は、ノイズリデューサ３００の吸音体に衝突した度に、吸収されて弱くなる。このように、サーボ装置１０の雑音の低減に有利である。
【００３３】
本開示を例示及び上記の実施形態によって説明したが、本発明が開示された実施形態に制限されないことを理解すべきである。逆に、本発明は多種の変更及び近似の配置（例えば、当業者が明らかに分かるもの）を含む。このため、全てのこのような変更及び近似な配置を含むように、添付した請求項は、最も広い解釈に依拠すべきである。
【００３４】
本発明を一つ又は多種の実施形態により説明したが、当業者は、この明細書及び添付図面を読み及び理解した上に、多種の等価修飾及び変更を想到することができる。なお、本発明の特定の特徴は、複数の実施形態の一つに開示されるが、特定の適用又は所要の効果を達成するために、この特徴は、一つ又はその他の実施形態の中の特徴と組み合わせることができる。
【００３５】
ここで使用される用語は、特定の実施形態を説明するために用いられ、本発明を制限することを意味しない。ここで使用されるように、本文で特に述べない限り、単数形の用語は一つ以上を意味する。なお、実施形態及び／又は請求項において、「備える」、「含有」、「有する」又は以上の各種の同義語は、何れも「含む」に近似し、何れも開放式の網羅関係である。
【００３６】
特に定義しない限り、ここに記載の全ての用語（技術及び科学用語を含む）の意味は、当業者が一般的に知っているものである。理解すべきなのは、常に辞書に定義される用語は、関連技術の背景により解読されるが、ここで特に声明しない限り、その定義が過度に理想又は正式なものではない。
【符号の説明】
【００３７】
１０  サーボ装置
２０  前端
３０  後端
５０、５０ｎ、５１  気流
５２  乱流
６０  出口側
７０  入口側
１００  ハウジング
１１０  第１側壁
１２０  第２側壁
１３０  ベイ
２００  ストレージアレイモジュール
２０１ｎ  ストレージアレイ
２０２  空間
２０３ｎ  ディスクドライブ装置
２５０  ファンモジュール
２５１ｎ  高電力ファン
３００  ノイズリデューサ
３２０  導流構造
３２１、３３２  支持特徴
３３０  分流構造
３３１  気流ガイド
【図１】
2018190951.tif 000003
【図２】
2018190951.tif 000004
【図３】
2018190951.tif 000005
【図４】
2018190951.tif 000006
【図５】
2018190951.tif 000007
【図６】
2018190951.tif 000008
【図７】
2018190951.tif 000009
【図８】
2018190951.tif 000010
【図９Ａ】
2018190951.tif 000011
【図９Ｂ】
2018190951.tif 000012
【図１０】
2018190951.tif 000013
【図１１】
2018190951.tif 000014
【図１２】
2018190951.tif 000015